(57)【要約】【課題】本発明は、ユーザのログイン情報を利用してコンテンツと広告を提供する。【解決手段】本発明のコンテンツ及び広告を提供する方法は、ユーザ端末機に前記コンテンツを露出させる段階、前記ユーザのログイン情報に基づいて設定された特定時点に前記露出されているコンテンツを中止し、一つ以上の広告を露出させる段階、及び前記中止となったコンテンツを前記ユーザ端末機に再び露出させる段階を含む。【選択図】図１
2014203466.tif 000002
【特許請求の範囲】
【請求項１】
コンテンツ提供装置がアプリケーションを用いてユーザが要請したコンテンツ及び広告を提供する方法であって、
ユーザ端末機に前記コンテンツを露出させる段階、
前記ユーザのログイン情報に基づいて設定された特定時点に前記露出されているコンテンツを中止し、一つ以上の広告を露出させる段階、及び
前記中止となったコンテンツを前記ユーザ端末機に再び露出させる段階を含む、コンテンツ及び広告提供方法。
【請求項２】
前記広告露出段階は、
前記ログイン情報に基づいて前記ユーザのアプリケーション平均利用時間を算出し、前記算出した平均利用時間を単位時間として設定する段階、
前記ログイン情報に基づいて前記平均利用時間内に消費される平均ページ数を算出し、前記算出した平均ページ数を単位ページ数として設定する段階、及び
前記単位時間及び前記単位ページ数のうちの少なくとも一つに基づいて前記特定時点を設定する段階を含む、請求項１に記載のコンテンツ及び広告提供方法。
【請求項３】
前記広告露出段階は、
前記特定時点を前記単位時間内で無作為に設定し、前記単位ページ数を超過しない範囲で前記一つ以上の広告を露出する段階を含む、請求項２に記載のコンテンツ及び広告提供方法。
【請求項４】
前記特定時点設定段階は、
前記単位時間に前記ユーザによるページ移動がない場合、前記単位時間を超過した直後を前記特定時点として設定する段階を含む、請求項３に記載のコンテンツ及び広告提供方法。
【請求項５】
前記広告露出段階は、
前記ユーザの個人情報及び前記単位時間に露出されるコンテンツに関する情報のうちの少なくとも一つに基づき、露出される前記一つ以上の広告を設定する段階を含む、請求項２に記載のコンテンツ及び広告提供方法。
【請求項６】
前記広告露出段階は、
第１単位時間に露出されるコンテンツに関する情報に基づき、第２単位時間に設定される特定時点に露出される一つ以上の広告を設定する段階を含む、請求項５に記載のコンテンツ及び広告提供方法。
【請求項７】
前記広告露出段階は、
前記ユーザがログインしていない場合、前記特定時点を予め設定された基準時点または無作為に設定する段階を含む、請求項１に記載のコンテンツ及び広告提供方法。
【請求項８】
前記広告露出段階は、
前記一つ以上の広告は順序情報を含み、前記一つ以上の広告を露出する前記特定時点が複数回である場合、露出される広告それぞれは前記順序情報に応じて順に露出されるようにする段階を含む、請求項１に記載のコンテンツ及び広告提供方法。
【請求項９】
アプリケーションを用いてユーザが要請したコンテンツ及び広告を提供するコンテンツ提供装置であって、
ユーザ端末機に前記コンテンツを露出させるコンテンツ露出部、
前記ユーザのログイン情報に基づいて設定された特定時点に前記露出されているコンテンツを中止し、一つ以上の広告を露出させる広告露出部、及び
前記中止となったコンテンツを前記ユーザ端末機に再び露出させるコンテンツ再露出部を含む、コンテンツ提供装置。
【請求項１０】
前記広告露出部は、前記ログイン情報に基づいて算出された前記ユーザのアプリケーション平均利用時間を単位時間として設定し、前記平均利用時間内に消費される平均ページ数を算出して単位ページ数として設定し、
前記単位時間及び前記単位ページ数のうちの少なくとも一つに基づいて前記特定時点を設定する、請求項９に記載のコンテンツ提供装置。
【請求項１１】
前記広告露出部は、前記特定時点を前記単位時間内で無作為に設定し、前記単位ページ数を超過しない範囲で前記一つ以上の広告を露出する、請求項１０に記載のコンテンツ提供装置。
【請求項１２】
前記広告露出部は、前記単位時間に前記ユーザによるページ移動がない場合、前記単位時間を超過した直後を前記特定時点として設定する、請求項１１に記載のコンテンツ提供装置。
【請求項１３】
前記広告露出部は、前記ユーザの個人情報及び前記単位時間に露出されるコンテンツに関する情報のうちの少なくとも一つに基づき、露出する前記一つ以上の広告を設定する広告設定部をさらに含む、請求項１０に記載のコンテンツ提供装置。
【請求項１４】
前記広告設定部は、第１単位時間に露出されるコンテンツに関する情報に基づき、第２単位時間に設定される特定時点に露出される前記一つ以上の広告を設定する、請求項１３に記載のコンテンツ提供装置。
【請求項１５】
前記広告露出部は、前記ユーザがログインしていない場合、前記特定時点を予め設定された基準時点または無作為に設定する、請求項９に記載のコンテンツ提供装置。
【請求項１６】
前記広告露出部は、
前記一つ以上の広告は順序情報を含み、前記一つ以上の広告を露出する前記特定時点が複数回である場合、露出する広告それぞれは前記順序情報に応じて順に露出されるようにする、請求項９に記載のコンテンツ提供装置。
【発明の詳細な説明】
【技術分野】
【０００１】
本発明はコンテンツ及び広告提供方法及びコンテンツ提供装置に関し、より詳しくは、ユーザのログイン情報を利用してコンテンツと広告を提供するコンテンツ及び広告提供方法及びコンテンツ提供装置に関する。
【背景技術】
【０００２】
従来は、インターネットを利用する利用者数の増加に伴い、インターネットサイトで広告を露出させる広告方式が盛んに行われていた。しかし、最近は、タブレットＰＣやネットブック、スマートフォンなどの携帯可能な端末機（以下、携帯端末機）の普及が増加しており、このような端末機を利用してインターネットを利用する利用者が幾何級数的に増えている。
従来は、コンピュータの大きなモニタ画面でインターネットサイトを利用していたため、広告の露出において制約が多くなかった。しかし、最近では、携帯端末機を用いてインターネットを利用する利用者が急増しているが、携帯端末機の画面は小さいため、小さなサイズの画面によって広告露出のための空間活用に制約が生じるようになった。
【０００３】
携帯端末機に広告を露出させる通常の方法は、画面の上端または下端にバナー形態で広告を露出させたり、本来の画面上にポップアップ形態の画面を新たに出現させることによって広告を露出させたりしている。
しかし、このような方法は、露出しなければならない情報またはコンテンツが多い場合には、画面の大きさに合わせて広告を構成して露出することが容易ではない。また、ユーザがウェブページやコンテンツなどを利用するときに広告がバナーやポップアップ形態で露出するため、ユーザが提供を受けたいインターネットサービスやコンテンツなどを利用するのに妨害となる恐れがある。例えば、ポップアップ形態で露出した場合、ユーザが本来利用していたコンテンツを利用しようとすれば、ポップアップウィンドウを削除するなどの行動をとらなければならないため、ユーザは煩わしさと同時に不便さを感じるようになる。ポップアップ形態で露出される広告はユーザが予想する画面でない可能性が大きいため否定的な認識を有するようになり、視覚的にも不便さを誘発させるという問題がある。
【発明の概要】
【発明が解決しようとする課題】
【０００４】
本発明は上述した従来技術の問題点を解決するためのものであり、本発明は、ユーザのログイン情報を利用してコンテンツと広告を提供することを目的とする。
【課題を解決するための手段】
【０００５】
上述したような目的を達成するための、本発明の一実施形態は、コンテンツ提供装置がアプリケーションを用いてユーザが要請したコンテンツ及び広告を提供する方法であって、ユーザ端末機に前記コンテンツを露出させる段階、前記ユーザのログイン情報に基づいて設定された特定時点に前記露出されているコンテンツを中止し、一つ以上の広告を露出させる段階、及び前記中止となったコンテンツを前記ユーザ端末機に再び露出させる段階を含む、コンテンツ及び広告提供方法を提供する。
【０００６】
本発明の一実施形態において、前記広告露出段階は、前記ログイン情報に基づいて前記ユーザのアプリケーション平均利用時間を算出し、前記算出した平均利用時間を単位時間として設定する段階、前記ログイン情報に基づいて前記平均利用時間内に消費される平均ページ数を算出し、前記算出した平均ページ数を単位ページ数として設定する段階、及び前記単位時間及び前記単位ページ数のうちの少なくとも一つに基づいて前記特定時点を設定する段階を含むことができる。
【０００７】
本発明の一実施形態において、前記広告露出段階は、前記特定時点を前記単位時間内で無作為に設定し、前記単位ページ数を超過しない範囲で前記一つ以上の広告を露出する段階を含むことができる。
本発明の一実施形態において、前記特定時点設定段階は、前記単位時間に前記ユーザによるページ移動がない場合、前記単位時間を超過した直後を前記特定時点として設定する段階を含むことができる。
本発明の一実施形態において、前記広告露出段階は、前記ユーザの個人情報及び前記単位時間に露出するコンテンツに関する情報のうちの少なくとも一つに基づき、露出する前記一つ以上の広告を設定する段階を含むことができる。
【０００８】
本発明の一実施形態において、前記広告露出段階は、第１単位時間に露出されるコンテンツに関する情報に基づき、第２単位時間に設定される特定時点に露出される一つ以上の広告を設定する段階を含むことができる。
本発明の一実施形態において、前記広告露出段階は、前記ユーザがログインしていない場合、前記特定時点を予め設定された基準時点または無作為に設定する段階を含むことができる。
本発明の一実施形態において、前記広告露出段階は、前記一つ以上の広告は順序情報を含み、前記一つ以上の広告を露出する前記特定時点が複数回である場合、露出する広告それぞれは前記順序情報に応じて順に露出されるようにする段階を含むことができる。
【０００９】
本発明の他の実施形態は、アプリケーションを用いてユーザが要請したコンテンツ及び広告を提供するコンテンツ提供装置であって、ユーザ端末機に前記コンテンツを露出させるコンテンツ露出部、前記ユーザのログイン情報に基づいて設定された特定時点に前記露出されているコンテンツを中止し、一つ以上の広告を露出させる広告露出部、及び前記中止となったコンテンツを前記ユーザ端末機に再び露出させるコンテンツ再露出部を含む、コンテンツ提供装置を提供する。
【００１０】
本発明の他の実施形態において、前記広告露出部は、前記ログイン情報に基づいて算出された前記ユーザのアプリケーション平均利用時間を単位時間として設定し、前記平均利用時間内に消費される平均ページ数を算出して単位ページ数として設定し、前記単位時間及び前記単位ページ数のうちの少なくとも一つに基づいて前記特定時点を設定することができる。
【００１１】
本発明の他の実施形態において、前記広告露出部は、前記特定時点を前記単位時間内で無作為に設定し、前記単位ページ数を超過しない範囲で前記一つ以上の広告を露出することができる。
本発明の他の実施形態において、前記広告露出部は、前記単位時間に前記ユーザによるページ移動がない場合、前記単位時間を超過した直後を前記特定時点として設定することができる。
本発明の他の実施形態において、前記広告露出部は、前記ユーザの個人情報及び前記単位時間に露出されるコンテンツに関する情報のうちの少なくとも一つに基づき、露出する前記一つ以上の広告を設定する広告設定部をさらに含むことができる。
【００１２】
本発明の他の実施形態において、前記広告設定部は、第１単位時間に露出されるコンテンツに関する情報に基づき、第２単位時間に設定される特定時点に露出される前記一つ以上の広告を設定することができる。
本発明の他の実施形態において、前記広告露出部は、前記ユーザがログインしていない場合、前記特定時点を予め設定された基準時点または無作為に設定することができる。
本発明の他の実施形態において、前記一つ以上の広告は順序情報を含み、前記一つ以上の広告を露出する前記特定時点が複数回である場合、露出する広告それぞれは前記順序情報に応じて順に露出されるようにできる。
【発明の効果】
【００１３】
本発明の一実施形態によれば、ユーザのログイン情報を利用してコンテンツを提供している間に広告を露出することにより、広告の効果を向上させることができる。また、ユーザによって消費されるコンテンツに関する情報に基づいて露出する広告を設定することにより、ユーザの関心が反映された広告を露出させることができる。
本発明の効果は上述したものに限定されず、本発明の詳細な説明または特許請求の範囲に記載された発明の構成から推論可能なすべての効果を含むものとして理解されなければならない。
【図面の簡単な説明】
【００１４】
【図１】本発明の一実施形態に係るコンテンツ提供システムを示した概要図である。
【図２】本発明の一実施形態に係るコンテンツ提供装置の構成を示した構成図である。
【図３】本発明の一実施形態に係る特定時点を設定するための一例を示した図である。
【図４】本発明の一実施形態に係るコンテンツ及び広告提供方法を示したフローチャートである。
【発明を実施するための形態】
【００１５】
以下、添付の図面を参照しながら本発明を説明する。しかし、本発明は多様に相違する形態で実現することもでき、ここで説明する実施形態に限定されるものではない。また、図面において本発明を明確に説明するために説明と関係のない部分は省略し、明細書全体において類似する部分には類似の図面符号を付与した。
明細書全体において、ある部分が他の部分と「連結」しているとするとき、これは「直接的に連結」している場合だけではなく、その中間に他の部材を間に置いて「間接的に連結」している場合も含む。また、ある部分がある構成要素を「含む」とするとき、これは特に反対となる記載がない限り、他の構成要素を除くのではなく、他の構成要素をさらに備えることができることを意味する。
以下、添付の図面を参照しながら、本発明の実施形態について詳しく説明する。
【００１６】
図１は、本発明の一実施形態に係るコンテンツ提供システムを示した概要図である。
図１を参照すれば、本発明の一実施形態に係るコンテンツ提供システムは、ユーザ端末機１００及びコンテンツ提供装置２００を含む。このとき、ユーザ端末機１００及びコンテンツ提供装置２００は、ネットワーク３００を介して連結することができる。
ユーザ端末機１００は、コンテンツ及び広告のうちの少なくとも一つを露出するためのアプリケーションをインストールすることができ、インストールしたアプリケーションを用いてユーザが要請するコンテンツ及び広告を露出することができる。
【００１７】
ユーザ端末機１００は、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）（登録商標）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、ＰＤＡ（Ｐｅｒｓｏｎａｌ  Ｄｉｇｉｔａｌ  Ａｓｓｉｓｔａｎｔ）、スマートフォン（ｓｍａｒｔｐｈｏｎｅ）などのように通信機能が含まれている携帯用端末、ハンドヘルドＰＣ（Ｈａｎｄ−Ｈｅｌｄ  ＰＣ）、ノート型パンコン、ラップトップ（ｌａｐｔｏｐ）、デスクトップ（ｄｅｓｋｔｏｐ）などのようなコンピュータ、ＭＰ３プレーヤ、ＭＤプレーヤなどのような携帯端末機などのように、すべての種類のハンドヘルド（Ｈａｎｄｈｅｌｄ）基盤の無線通信装置を含むことができる。
【００１８】
コンテンツ提供装置２００は、ユーザ端末機１００にインストールされたアプリケーションを用いてコンテンツ及び広告を露出させる。このとき、コンテンツ提供装置２００は、広告サーバ（図示せず）または広告主端末（図示せず）などから広告の提供を受けることができるが、これに限定されるものではない。
具体的に、コンテンツ提供装置２００は、ユーザ端末機１００にユーザが要請したコンテンツを露出させ、ユーザのログイン情報に基づいて設定された特定時点に露出中であるコンテンツを中止し、一つ以上の広告を露出させる。
【００１９】
このとき、コンテンツ提供装置２００は、露出していたコンテンツまたは露出後に中止となったコンテンツに関する情報を格納することができる。例えば、コンテンツに関する情報は、コンテンツの識別情報、コンテンツを露出したページ情報、中止となったページ情報、コンテンツを中止した時間情報、ユーザ端末機の識別情報などを含むことができる。これにより、広告露出後にコンテンツを再び露出するときに、該当するコンテンツの中止となったページから再び露出することができるし、コンテンツに関する情報に基づいてユーザの関心度が反映された一つ以上の広告が露出されるように設定することができる。
【００２０】
コンテンツ提供装置２００は、ユーザのログイン情報に基づいてユーザのアプリケーション平均利用時間を算出し、平均利用時間内に消費される平均ページ数を算出することができる。また、コンテンツ提供装置２００は、算出した平均利用時間を単位時間として設定し、算出された平均利用時間内に消費される平均ページ数を単位ページ数として設定することができ、設定された単位時間及び単位ページ数のうちの少なくとも一つに基づいて特定時点を設定することができる。これに関しては図２乃至図３を参照しながら後述する。
【００２１】
ここで、消費されるページ数とは、アプリケーションによってユーザに示されるコンテンツを含んだページのうち、ユーザが利用したページ数、すなわち、ユーザ端末機１００の画面に表示されるコンテンツが複数のページで構成されるとき、それぞれのページがユーザによって読まれたり利用されたりするページ数を意味する。例えば、ユーザがユーザ端末機１００を用いて電子本（ｅ−ｂｏｏｋ）を閲読する場合、ユーザの閲読によって捲られた電子本のページ数が消費されるページ数となることができる。
また、コンテンツ提供装置２００は、ユーザの個人情報及び単位時間に露出されるコンテンツに関する情報のうちの少なくとも一つに基づき、露出される一つ以上の広告を設定することができる。ここで、ユーザの個人情報は、ユーザの性別や年齢、地域などを含むことができるが、これに限定されるものではない。
【００２２】
特定時点に広告を露出した後、コンテンツ提供装置２００は、中止となったコンテンツをユーザ端末機１００に再び露出させる。このとき、コンテンツ提供装置２００は、コンテンツ中止の際に格納された中止となったコンテンツに関する情報に基づき、該当するコンテンツの中止となったページを露出させることができる。
一方、一つ以上の広告が順序情報を含み、一つ以上の広告を露出する特定時点が複数回である場合、コンテンツ提供装置２００は、露出する広告それぞれが順序情報に応じて順に露出されるようにできる。これに関しても図３を参照しながら後述する。
【００２３】
ネットワーク３００は、近距離通信網（Ｌｏｃａｌ  Ａｒｅａ  Ｎｅｔｗｏｒｋ：ＬＡＮ）、広域通信網（Ｗｉｄｅ  Ａｒｅａ  Ｎｅｔｗｏｒｋ：ＷＡＮ）、または付加価置通信網（Ｖａｌｕｅ  Ａｄｄｅｄ  Ｎｅｔｗｏｒｋ：ＶＡＮ）などのような有線ネットワークや移動通信網（ｍｏｂｉｌｅ  ｒａｄｉｏ  ｃｏｍｍｕｎｉｃａｔｉｏｎ  ｎｅｔｗｏｒｋ）、または衛星通信網などのようなすべての種類の無線ネットワークで実現することができる。
【００２４】
図２は、本発明の一実施形態に係るコンテンツ提供装置の構成を示した構成図である。
図２を参照すれば、本発明の一実施形態に係るコンテンツ提供装置２００は、コンテンツ露出部２１０、広告露出部２２０、及びコンテンツ再露出部２３０を含む。
コンテンツ露出部２１０は、ユーザ端末機１００（図１を参照）にユーザが要請したコンテンツを露出させる。
広告露出部２２０は、ユーザのログイン情報に基づいて設定された特定時点に露出中であるコンテンツを中止させ、一つ以上の広告を露出させる。このとき、広告露出部２２０は、中止となったコンテンツに関する情報を格納することができる。
【００２５】
広告露出部２２０は、ユーザがログインしている場合、ユーザのログイン情報に基づいてユーザのアプリケーション平均利用時間を算出し、算出した平均利用時間を単位時間として設定することができる。また、ユーザのログイン情報に基づいて平均利用時間内に消費される平均ページ数を算出し、算出した平均ページ数を単位ページ数として設定することができる。また、広告露出部２２０は、単位時間及び単位ページ数のうちの少なくとも一つに基づいて特定時点を設定することができる。
また、広告露出部２２０は、特定時点を単位時間内で無作為に設定し、単位ページ数を超過しない範囲で一つ以上の広告を露出することができる。このとき、広告露出部２２０は、単位時間内にユーザによるページ移動がない場合、単位時間を超過した直後を特定時点として設定することもできる。
【００２６】
一方、露出する一つ以上の広告は順序情報を含むことができる。このとき、広告露出部２２０は一つ以上の広告を露出させ、それぞれが前記順序情報に応じて順に露出されるように制御することができる。しかし、これに限定されるものではなく、一つ以上の広告は順序なく任意で露出することもできる。
一方、広告露出部２２０は、ユーザがログインしていない場合、すなわち、ユーザのログイン情報がない場合、特定時点を予め設定された基準時点または無作為に設定することもできる。また、広告露出部２２０は、ユーザのログイン情報がない場合、複数のユーザログイン情報に基づき、ユーザのアプリケーション平均利用時間を単位時間として設定し、ユーザのアプリケーション平均利用時間内に消費される平均ページ数を算出して単位ページ数として設定し、設定された単位時間及び単位ページ数のうちの少なくとも一つに基づいて広告露出のための特定時点を設定することもできる。
【００２７】
一方、広告露出部２２０は、広告設定部（図示せず）をさらに含むことができる。
広告設定部は、ユーザの個人情報及び単位時間に露出されるコンテンツに関する情報のうちの少なくとも一つに基づき、露出する一つ以上の広告を設定することができる。例えば、広告設定部は、ユーザは女性であり、要請したコンテンツがファッションに関する情報である場合、衣類、靴、バックのように女性ファッションに関する広告が露出されるように設定することができる。これにより、コンテンツ提供装置２００は、ユーザの関心度が高かったり集中したりする広告を露出することができ、広告の効果を極大化させることができる。
【００２８】
また、広告設定部は、第１単位時間に露出されるコンテンツに関する情報に基づき、第２単位時間の特定時点に露出される一つ以上の広告を設定することもできる。例えば、広告設定部は、第１単位時間に露出されるコンテンツが旅行に関する情報である場合、第２単位時間内の特定時点に露出される広告として、旅行会社、パック旅行商品のように旅行に関する広告を設定することができる。他の例として、特定期間（ここ１週間など）を設定し、該当する期間内に露出されたコンテンツに関する情報に基づいて露出頻度の高いコンテンツに関する広告が設定されるようにもできるが、これに限定されるものではない。
コンテンツ再露出部２３０は、中止となったコンテンツをユーザ端末機１００に再び露出させる。このとき、コンテンツ再露出部２３０は、広告露出部２２０によってコンテンツが中止となったとき、格納された中止となったコンテンツに関する情報に基づき、コンテンツの中止となったページを再び露出させることができる。
【００２９】
図３は、本発明の一実施形態に係る特定時点を設定するための一例を示す図である。
コンテンツ提供装置２００（図２参照）は、ユーザのログイン情報に基づき、単位時間及び単位ページ数のうちの少なくとも一つに基づいて特定時点を設定することができ、設定された特定時点に露出されているコンテンツを中止し、一つ以上の広告を露出させることができる。
【００３０】
先ず、特定時点を設定するための単位時間及び単位ページ数に関する用語について説明する。ここで、時間は秒単位（ｓｅｃ）であると仮定する。
単位時間（Ｄｕｒａｔｉｏｎ  ｔｈｒｅｓｈｏｌｄ：以下「Ｄ」とする）は、ユーザのログイン情報に基づいてユーザ（ＵＶ：Ｕｎｉｑｕｅ  Ｖａｌｕｅ）が要請したコンテンツを露出するためのアプリケーションを利用する平均利用時間として設定されることができる。例えば、単位時間（Ｄ）は、ユーザがユーザ端末機１００にインストールされているアプリケーションを実行して終了するまでの平均時間によって設定することができる。
単位ページ数（μ）はアプリケーション平均利用時間、すなわち、単位時間（Ｄ）内にユーザによって消費される平均ページ数によって設定することができる。これを数式で示せば次の（式１）のとおりである。
【００３１】
【数１】
2014203466.tif 000003
【００３２】
ここで、ＴＲｕｔはユーザによって時間（ｔ）別のページ変換の有無による変数であって、時間別にページが変わる場合には１、ページが変わらない場合には０となる。
一方、（式１）によって算出された単位ページ数（μ）に標準偏差（σ：Ｓｔａｎｄａｒｄ  Ｄｅｖｉａｔｉｏｎ）を適用する場合、単位ページ数（μ）は（式２）のとおりである。
【００３３】
【数２】
2014203466.tif 000004
【００３４】
ここで、μは上述した（式１）によって算出されたページ数であり、σは標準偏差である。
次に、特定時点を設定するための時間及びページに対する変数を定義すれば次のとおりである。
先ず、ｆｉは時間フレーム（ｔｉｍｅ  ｆｒａｍｅ）であって、ｆｉの長さは単位時間（Ｄ）と等しい。ここで、ｉは現在の時間フレームインデックス（ｃｕｒｒｅｎｔ  ｔｉｍｅ  ｆｒａｍｅｉｎｄｅｘ）を示し、１≦ｉ＜∞となることができる。すなわち、コンテンツの露出が始まる最初の単位時間（Ｄ）にｉ＝１となり、最初の時間フレームがｆ１、その次の時間フレームがｆ２となるなど順に増加することができる。例えば、図３に示すように、時間の経過に応じて単位時間（Ｄ）それぞれが連結する形態であって、時間フレーム（ｆ１乃至ｆ３）が並ぶようになる。
【００３５】
また、ｆｔｉは時間フレーム（ｆｉ）の開始時間（ｂｅｇｉｎ  ｔｉｍｅ  ｏｆ  ｔｉｍｅ  ｆｒａｍｅｉ）であって、時間フレーム（ｆｉ）が始まる基準を指す時点を示す。
図３に示すように、ｖｉは時間フレーム（ｆｉ）の現在時間（ｃｕｒｒｅｎｔ  ｔｉｍｅ）と比較される相対的な時間（ｒｅｌａｔｉｖｅ  ｔｉｍｅ  ｏｎ  ｆｉ：ｖｉ＝ｃｕｒｒｅｎｔ  ｔｉｍｅ−ｆｔｉ）であり、ｎｉは時間フレーム（ｆｉ）に含まれたページ数に対するページインデックス（ｐａｇｅ  ｉｎｄｅｘ  ｏｎ  ｆｉ）であり、１≦ｎｉ＜∞である。
【００３６】
【数３】
2014203466.tif 000005
【００３７】
（式３）によれば、ページインデックスがｎｉの状態においてｖｉが単位時間（Ｄ）以上である場合、すなわち、単位時間（Ｄ）内に特定ページから継続して変わらなければ、単位時間（Ｄ）内に広告が露出されない。このような場合には、単位時間（Ｄ）が過ぎた直後に広告を露出することができる。このような動作制御のために、次のような数式（式４）を適用することができる。
【００３８】
【数４】
2014203466.tif 000006
【００３９】
ここで、ｙｉは広告露出に関する変数であり、（式３）と関連づけて説明すれば次のとおりである。
単位時間（Ｄ）が過ぎるまで（ｖｉ≧Ｄ）ユーザによってｎｉからページ移動がなくて（ｐ＝＝ｎｉ）広告が露出されない場合（ｙｉ＝＝０）、単位時間（Ｄ）が過ぎた直後に広告を露出し（ｙｉ＝１）、その他の場合には広告を露出しない（ｙｉ＝０）。
すなわち、コンテンツ提供装置２００は、単位時間（Ｄ）にユーザによってページ移動がない場合、単位時間（Ｄ）を超過した直後を特定時点として設定して広告を露出することができる。
【００４０】
一方、再び（式３）を参照すれば、ページインデックスｎｉが１以上である場合には（ｎｉ≧１）、単位ページ数を超過しない範囲（１乃至μ）内でｘという特定時点に一つ以上の広告を露出することができる。
要約すれば、コンテンツ提供装置２００は、単位時間（Ｄ）内にページ消費が存在する場合、すなわち、ページ移動が発生する場合には無作為に設定された特定時点に広告を露出させるが、単位時間（Ｄ）内にページ移動がない場合には、単位時間（Ｄ）が過ぎた直後に広告が露出されるようにする。
一方、単位時間（Ｄ）内に広告が露出されたり単位時間（Ｄ）が過ぎたりすることに応じ、時間フレーム（ｆｉ）を設定するためには、次の（式５）が利用される。
【００４１】
【数５】
2014203466.tif 000007
【００４２】
（式５）によれば、ｙｉが１であり、ｖｉが単位時間（Ｄ）よりも小さかったり、ｖｉが単位時間（Ｄ）以上である場合、すなわち、広告が単位時間（Ｄ）内に露出されたり、広告露出の有無に関係なく単位時間（Ｄ）が過ぎた場合には、時間フレーム（ｆｉ）のｉはｉ＋１となり、現在時間がｆｔｉ（時間フレーム（ｆｉ）の開始時間）として設定される。すなわち、前記条件に該当する場合、現在時間を基準として開始される時間フレーム（ｆｉ）を設定することができる。
このような時間フレーム設定方式は、運営政策に応じて二つの方式のうちの少なくとも一つを適用することもできるし、予め設定された条件に応じて二つの方式を並行して適用することもできる。
【００４３】
例えば、広告が単位時間（Ｄ）内に露出される場合、現在時間をｆｔｉとして設定する時間フレーム（ｆｉ）を設定することができる。すなわち、単位時間（Ｄ）内に広告が露出された場合、単位時間（Ｄ）が過ぎていなくても、現在時間を基準として時間フレーム（ｆｉ）が設定されるということを意味する。すなわち、図３に示すものとは異なり、単位時間（Ｄ）が過ぎていない状態で広告が露出されれば、現在時間を基準として時間フレーム（ｆｉ）が新たに設定され、時間フレーム（ｆｉ）の長さは広告が露出された特定時点に応じて異なるようになる。このとき、特定時点は、単位時間内に複数回で設定することができる。
他の例として、広告露出の有無に関係なく単位時間（Ｄ）が過ぎた場合、現在時間をｆｔｉとして設定された時間フレーム（ｆｉ）を設定することができる。すなわち、図３に示すように、単位時間（Ｄ）に応じて一定の時間間隔を有する時間フレームを並べることができる。このとき、特定時点は、単位時間内に一回以下となることができる。
【００４４】
図３は、複数の単位時間（Ｄ）に対して単位ページ数が４である場合を例示した図である。
図３では、時間フレーム（ｆｉ）が広告露出の有無に関係なく単位時間（Ｄ）に応じて一定の時間間隔に設定される場合が示されているが、これに限定されるものではない。
上述したように、時間フレーム（ｆｉ）の長さは単位時間（Ｄ）と等しく、ｉは時間フレームインデックスを示す。
以下では説明の便宜のために、ｉ＝１であるｆ１は第１時間フレーム（または第１単位時間）、ｉ＝２であるｆ２は第２時間フレーム（または第２単位時間）、ｉ＝３であるｆ３は第３時間フレーム（または第３単位時間）と表記する。
【００４５】
図３に示すように、時間フレーム（ｆｉ）は単位時間（Ｄ）に応じてそれぞれ分類され、各時間フレーム（ｆｉ）は４つの単位ページ数を含む。また、各時間フレームに含まれているページのページインデックスをそれぞれｎ１、ｎ２、ｎ３、ｎ４と示すことができる。
このような場合、特定時点を第１時間フレーム乃至第３時間フレーム内に無作為でそれぞれ設定することができ、第１時間フレーム内で単位ページ数である４を超過しない範囲（１〜４）で広告を露出することができる。例えば、第１時間フレームにはｎ２に広告を露出することができ、第２時間フレームにはｎ３に広告を露出することができる。
【００４６】
一方、第１時間フレーム内でユーザによるページ移動がなくてあるページに留まり続ける場合、例えば、ページインデックスがｎ１の状態でページが変わらないので第１時間フレーム内に広告が露出されなければ、ページインデックスがｎ１の状態であるため、第１時間フレーム以後に始まる第２時間フレームに直ぐに広告を露出させることができる。例えば、コンテンツ提供装置２００は、ｆｔ２（第２時間フレームの開始時間）に直ぐに広告を露出させることができる。
【００４７】
また、一つ以上の広告は順序情報を含み、一つ以上の広告が露出される特定時点が複数回である場合、コンテンツ提供装置２００は、露出する広告それぞれが順序情報に応じて順に露出されるようにできる。
連続する露出によって広告の効果を高めるためのシリーズ広告の場合、シリーズ広告の順序に応じ、それぞれの特定時点に順に広告を露出させることができる。例えば、第１時間フレーム内に設定された第１特定時点にはｎ２で１番目の順序の広告を露出し、第２時間フレーム内に設定された第２特定時点にはｎ３で２番目の順序の広告を露出することができる。ここで、シリーズ広告とは、一つの主題や商品に関して一定期間連続して順に掲載する広告を意味する。
【００４８】
このように、コンテンツ提供装置２００によって順に関連広告を露出すれば、ユーザの期待心理を高められるだけでなく、広告の効果もさらに高めることができる。
本発明の一実施形態に係るコンテンツ提供装置２００は、コンテンツを露出する画面をコンテンツ及び広告が利用できるように時間分割を利用する方式により、コンテンツを利用する間の適切な時間帯に広告を露出させ、広告効果を向上させることができる。すなわち、本発明は、ユーザのログイン情報を利用して設定された特定時点（一例として、ユーザの関心が低下すると予想される時間帯または集中力が高い時間帯など）にコンテンツを一時中止して広告を露出することにより、ユーザの関心と没入度を高めることができる。
【００４９】
図４は、本発明の一実施形態に係るコンテンツ及び広告提供方法を示すフローチャートである。
図４を参照すれば、コンテンツ提供装置２００（図２参照）は、ユーザ端末機１００（図１参照）にユーザが要請したコンテンツを露出させる（Ｓ４１０）。
コンテンツ提供装置２００は、ユーザがログインしているか否かを判断する（Ｓ４２０）。
判断結果、ユーザがログインしていない場合、コンテンツ提供装置２００は、特定時点を予め設定された基準時点または無作為に設定することができる（Ｓ４２５）。
【００５０】
この反面、ユーザがログインしている場合、コンテンツ提供装置２００は、ユーザのログイン情報に基づいて単位時間及び単位ページ数を設定する（Ｓ４３０）。すなわち、コンテンツ提供装置２００は、ユーザのログイン情報に基づいて算出したユーザのアプリケーション平均利用時間を単位時間として設定することができ、ユーザのログイン情報に基づいて算出した平均利用時間内に消費される平均ページ数を単位ページ数として設定することができる。
この後、コンテンツ提供装置２００は、設定された単位時間及び単位ページ数のうちの少なくとも一つに基づいて特定時点を設定することができる（Ｓ４４０）。このとき、コンテンツ提供装置２００は、特定時点を単位時間内で無作為に設定し、単位ページ数を超過しない範囲で一つ以上の広告が露出されるように設定する。また、コンテンツ提供装置２００は、単位時間にユーザによるページ移動がない場合、単位時間を超過した直後を特定時点として設定することもできる。
【００５１】
次に、コンテンツ提供装置２００は、現在時間が最初に始まる単位時間である第１単位時間（または第１時間フレーム：図３参照）に含まれるか否かを判断する（Ｓ４５０）。
判断結果、現在時間が第１単位時間に含まれない場合、すなわち、以前にコンテンツが消費された単位時間が存在する場合、コンテンツ提供装置２００は、露出される一つ以上の広告を設定する（Ｓ４６０）。このとき、コンテンツ提供装置２００は、ユーザの個人情報及び単位時間に露出されるコンテンツに関する情報のうちの少なくとも一つに基づき、露出する一つ以上の広告を設定することができる。以前の単位時間に露出されるコンテンツに関する広告が露出されるように設定することができるが、これに限定されるものではない。例えば、第１単位時間に露出されるコンテンツに関する情報に基づき、第２単位時間に設定される特定時点に露出される一つ以上の広告を設定することができる。
【００５２】
コンテンツ提供装置２００は、先だって設定された特定時点に露出されていたコンテンツを中止して広告を露出させる（Ｓ４７０）。このとき、コンテンツ提供装置２００は、中止となったコンテンツの該当ページを再び露出させることができる。
この反面、現在時間が第１単位時間に含まれる場合、コンテンツ提供装置２００は、露出される広告を設定する過程を省略し（Ｓ４６０）、設定された特定時点に一つ以上の広告を露出する（Ｓ４７０）。
一方、現在時間が第１単位時間であるか否かを判断して広告を設定する過程（Ｓ４５０乃至Ｓ４６０）は、省略が可能である。
【００５３】
上述した本発明の説明は例示に過ぎず、本発明が属する技術分野において通常の知識を有する者は、本発明の技術的思想や必須な特徴を変更しなくても、他の具体的な形態によって容易に変形が可能であることが理解できるであろう。したがって、上述した実施形態はすべての面において例示的なものに過ぎず、限定的なものではないと理解されなければならない。例えば、単一型として説明されている各構成要素は分散して実施することもでき、これと同様に、分散していると説明されている構成要素も結合した形態で実施することができる。
本発明の範囲は添付の特許請求の範囲によって示され、特許請求の範囲の意味及び範囲、またはその均等概念から導き出されるすべての変更または変形した形態は、本発明の範囲に含まれるものと解釈されなければならない。
【符号の説明】
【００５４】
１００  ・・・ユーザ端末機
２００  ・・・コンテンツ提供装置
２１０  ・・・コンテンツ露出部
２２０  ・・・広告露出部
２３０  ・・・コンテンツ再露出部
３００  ・・・ネットワーク
【図１】
2014203466.tif 000008
【図２】
2014203466.tif 000009
【図３】
2014203466.tif 000010
【図４】
2014203466.tif 000011